(57)【要約】【課題】一種類の製品で、大、中、小、三通りの目地幅のデッキを構築することができるデッキ材ユニットを提供する。【解決手段】  本発明に係るデッキ材ユニットは、デッキ材２と固定具４とによって構成され、第二デッキ面２１ｂよりも横幅が小さい第一デッキ面２１ａが上方となる向きで二つのデッキ材２Ａ，２Ｂを隣接配置し、第一顎部２４ａよりも外側へ突出した第二顎部２４ｂ同士を対向させて、固定具４の脚部４４を挟持させる形とした場合に、固定具４の左右の側方フラップ４２ａ，４２ｂが、二つのデッキ材２Ａ，２Ｂの大溝２３内にそれぞれ進入し、かつ、左右の垂直フラップ４５ａ，４５ｂが、二つのデッキ材２Ａ，２Ｂの小溝２８内に係合するように構成したことを特徴とする。【選択図】図８
2015140591.tif 000002
【特許請求の範囲】
【請求項１】
デッキ材及び固定具によって構成されるデッキ材ユニットであって、
デッキ材は、第一デッキ面と、その反対側の、第一デッキ面よりも横幅が大きい第二デッキ面と、左右の側縁部とを有し、長手方向と直交する断面の形状が長手方向について一定で、左右の両側縁部が鏡面対称的な形状となっており、
デッキ材の各側縁部には、デッキ材の厚さ方向の中間位置において、外側側方からデッキ材の内側へ向かって所定の深さで抉れた大溝がそれぞれ形成され、
デッキ材の各側縁部において、大溝よりも第二デッキ面側の第二顎部が、大溝よりも第一デッキ面側の第一顎部よりも外側へ突出し、第一デッキ面側の第一顎部における大溝側の角部、及び、第二デッキ面側の第二顎部における大溝側の角部に、段部がそれぞれ形成され、第二デッキ面側の第二顎部の段部と大溝との間の位置に、第一顎部の方へ向かって突出する突状部が形成されるとともに、突状部と大溝との間の位置に、第二デッキ面の方へ向かって抉れた小溝が形成され、
固定具は、上下に貫通するビス穴が形成され本体基部と、本体基部から左右側方へそれぞれ突出する側方フラップと、本体基部の底面から所定幅で下方へ突出する脚部と、本体基部の下半部の左右側方へ所定間隔を置いた位置においてそれぞれ下方へ向かって突出する垂直フラップとによって構成され、
第二デッキ面よりも横幅が小さい第一デッキ面が上方となる向きで二つのデッキ材を隣接配置し、第一顎部よりも外側へ突出した第二顎部同士を対向させて、固定具の脚部を挟持させる形とした場合に、固定具の左右の側方フラップが、二つのデッキ材の大溝内にそれぞれ進入し、かつ、左右の垂直フラップが、二つのデッキ材の小溝内に係合するように構成されていることを特徴とするデッキ材ユニット。
【請求項２】
固定具の本体基部から左右側方へそれぞれ突出する側方フラップは、それぞれ主フラップと、主フラップよりも薄肉で可撓性を有する弾性フラップとによって構成され、
各弾性フラップの先端部には、上方へ向かって突出する係止部が形成され、
第二デッキ面よりも横幅が小さい第一デッキ面が上方となる向きで二つのデッキ材を隣接配置し、第一顎部よりも外側へ突出した第二顎部同士を対向させて、固定具の脚部を挟持させる形とした場合に、側方フラップのうち主フラップの下面が、大溝の下側の面に当接するように、また、側方フラップのうち弾性フラップが、僅かに下方へ変形した状態で、係止部が大溝の上側の面に当接するように、固定具及びデッキ材の大溝の形状及び寸法が設定されていることを特徴とする、請求項１に記載のデッキ材ユニット。
【請求項３】
デッキ材の第一顎部の側面は、第一顎部の段部側よりも第一デッキ面側の方が外側へ突出するように傾斜しており、第二顎部の側面も、第二顎部の段部側よりも第二デッキ面側の方が外側へ突出するように傾斜していることを特徴とする、請求項１に記載のデッキ材ユニット。
【発明の詳細な説明】
【技術分野】
【０００１】
本発明は、根太又は平滑な床下地面上に並列配置されるデッキ材（床材、フロアー材を含む）と、それらのデッキ材を根太材又は平滑な床下地面上に固定するための固定具とによって構成されるデッキ材ユニットに関する。
【背景技術】
【０００２】
屋外或いは屋内においてデッキ（デッキ構造体）を構築しようとする場合、通常、所定の間隔をおいて配置した束石、或いは、その他の基礎の上に（又は、その上に配置した大引材の上に）、複数本の根太材を平行に配置し、更にその上に、根太材の長手方向と直交する向きで多数のデッキ材を並列配置し、各デッキ材を根太材に対して固定するという施工方法が実施されている。
【先行技術文献】
【特許文献】
【０００３】
【特許文献１】特開２００６−０６３７４７号公報
【特許文献２】特開２００６−１７７０３６号公報
【特許文献３】特開２００８−０３１７５７号公報
【特許文献４】特開２００９−０２４４１０号公報
【発明の概要】
【発明が解決しようとする課題】
【０００４】
屋外にデッキを構築する場合、雨水、砂、塵埃等がデッキ面上に滞留しないように、隣接する各デッキ材の間にそれぞれ５〜３ｍｍ程度の隙間（目地）を設け、雨水等がそれらの隙間からデッキ面の下方の空間へ速やかに落下するように構成することが多いが、商業施設等においては、コイン、鍵、カード類等の貴重品がデッキ材間の隙間から落下してしまうという事態をなるべく回避できるように、目地部に落下防止用パッキン、目皿等を配したり、落下止めフランジを形状に施したりしている。
【０００５】
このように、デッキの目地幅については、デッキの用途や設置場所に応じてニーズが多様化しているが、現在市場で流通しているデッキ材やその固定具は、施工できる目地幅が製品毎に固定されており、汎用性が無いという問題がある。
【０００６】
本発明は、上記のような従来技術における問題を解決しようとするものであって、一種類の製品で、大、中、小、三通りの目地幅のデッキを構築することができ、しかも、施工を正確に、かつ、熟練を要することなく、極めて容易に行うことができるデッキ材ユニットを提供することを目的とする。
【課題を解決するための手段】
【０００７】
本発明に係るデッキ材ユニットは、デッキ材及び固定具によって構成され、デッキ材は、第一デッキ面と、その反対側の、第一デッキ面よりも横幅が大きい第二デッキ面と、左右の側縁部とを有し、長手方向と直交する断面の形状が長手方向について一定で、左右の両側縁部が鏡面対称的な形状となっており、デッキ材の各側縁部には、デッキ材の厚さ方向の中間位置において、外側側方からデッキ材の内側へ向かって所定の深さで抉れた大溝がそれぞれ形成され、デッキ材の各側縁部において、大溝よりも第二デッキ面側の第二顎部が、大溝よりも第一デッキ面側の第一顎部よりも外側へ突出し、第一デッキ面側の第一顎部における大溝側の角部、及び、第二デッキ面側の第二顎部における大溝側の角部に、段部がそれぞれ形成され、第二デッキ面側の第二顎部の段部と大溝との間の位置に、第一顎部の方へ向かって突出する突状部が形成されるとともに、突状部と大溝との間の位置に、第二デッキ面の方へ向かって抉れた小溝が形成され、固定具は、上下に貫通するビス穴が形成され本体基部と、本体基部から左右側方へそれぞれ突出する側方フラップと、本体基部の底面から所定幅で下方へ突出する脚部と、本体基部の下半部の左右側方へ所定間隔を置いた位置においてそれぞれ下方へ向かって突出する垂直フラップとによって構成され、第二デッキ面よりも横幅が小さい第一デッキ面が上方となる向きで二つのデッキ材を隣接配置し、第一顎部よりも外側へ突出した第二顎部同士を対向させて、固定具の脚部を挟持させる形とした場合に、固定具の左右の側方フラップが、二つのデッキ材の大溝内にそれぞれ進入し、かつ、左右の垂直フラップが、二つのデッキ材の小溝内に係合するように構成されていることを特徴としている。
【０００８】
尚、本体基部から左右側方へそれぞれ突出する側方フラップは、それぞれ主フラップと、主フラップよりも薄肉で可撓性を有する弾性フラップとによって構成され、各弾性フラップの先端部には、上方へ向かって突出する係止部が形成され、第二デッキ面よりも横幅が小さい第一デッキ面が上方となる向きで二つのデッキ材を隣接配置し、第一顎部よりも外側へ突出した第二顎部同士を対向させて、固定具の脚部を挟持させる形とした場合に、側方フラップのうち主フラップの下面が、大溝の下側の面に当接するように、また、側方フラップのうち弾性フラップが、僅かに下方へ変形した状態で、係止部が大溝の上側の面に当接するように、固定具及びデッキ材の大溝の形状及び寸法が設定されていることが好ましい。
【０００９】
また、デッキ材の第一顎部の側面は、第一顎部の段部側よりも第一デッキ面側の方が外側へ突出するように傾斜しており、第二顎部の側面も、第二顎部の段部側よりも第二デッキ面側の方が外側へ突出するように傾斜していることが好ましい。
【発明の効果】
【００１０】
本発明のデッキ材ユニットは、第二デッキ面よりも横幅が小さい第一デッキ面が上方となる向きで二つのデッキ材を隣接配置した場合に、大きな目地幅（例えば５ｍｍ）でデッキを構築することができ、反対に、第二デッキ面が上方となる向きで二つのデッキ材を隣接配置した場合に、小さな目地幅（例えば１ｍｍ）でデッキを構築することができる。更に、第一デッキ面が上方となる向きのデッキ材と、第二デッキ面が上方となる向きのデッキ材とが、交互に隣接するように配置した場合には、中間の大きさの目地幅（例えば３ｍｍ）でデッキを構築することができる。
【図面の簡単な説明】
【００１１】
【図１】図１は、本発明に係るデッキ材ユニットを構成するデッキ材２の断面図である。
【図２】図２は、図１のデッキ材２の一方の側縁部２２ａの拡大図である。
【図３】図３は、本発明に係るデッキ材ユニットを構成する固定具４の斜視図である。
【図４】図４は、図３の固定具４の正面図である。
【図５】図５は、図３の固定具４の側面図である。
【図６】図６は、図５に示すＸ−Ｘ線による固定具４の断面斜視図である。
【図７】図７は、図５に示すＹ−Ｙ線による固定具４の断面斜視図である。
【図８】図８は、本発明に係るデッキ材ユニットを用いてデッキを施工する方法（目地幅５ｍｍ）の説明図である。
【図９】図９は、本発明に係るデッキ材ユニットを用いてデッキを施工する方法（目地幅３ｍｍ）の説明図である。
【図１０】図１０は、本発明に係るデッキ材ユニットを用いてデッキを施工する方法（目地幅３ｍｍ）の説明図である。
【図１１】図１１は、本発明に係るデッキ材ユニットを用いてデッキを施工する方法（目地幅１ｍｍ）の説明図である。
【発明を実施するための形態】
【００１２】
以下、添付図面に沿って本発明の実施形態について説明する。図１は、本発明に係るデッキ材ユニットを構成するデッキ材２の断面図（長手方向と直交する断面を示す図）、図２は、その一方の側縁部２２ａの拡大図、図３は、本発明に係るデッキ材ユニットを構成する固定具４の斜視図、図４はその正面図、図５はその側面図、図６は、図５に示すＸ−Ｘ線による固定具４の断面斜視図、図７は、図５に示すＹ−Ｙ線による固定具４の断面斜視図である。
【００１３】
デッキ材２は、図１に示すように、第一デッキ面２１ａと、その反対側の第二デッキ面２１ｂと、左右の側縁部２２ａ，２２ｂとを有している。このデッキ材２は、長手方向と直交する断面の形状が長手方向について一定であり、長手方向のいずれの位置における断面形状も図１に示す形状となり、また、長手方向の両端面の輪郭も、図１に示す断面の輪郭と同一の形状となるように構成されている。このデッキ材２は、根太材上などに配置して設置する際、図１に示すような向きで（即ち、第一デッキ面２１ａが上方となる向きで）使用することもできるし、上下を入れ替えて、第二デッキ面２１ｂが上方となる向きで使用することもできる。また、デッキ材２の左右の両側縁部２２ａ，２２ｂは、図１に示すように鏡面対称的な形状となっている。
【００１４】
本実施形態においては、デッキ材２は、厚さ寸法が２５ｍｍに設定されており、図２に示すように、側縁部２２ａには、デッキ材２の厚さ方向（高さ方向）の中間位置において、外側側方からデッキ材２の内側中心へ向かって所定の深さで抉れた大溝２３が形成されている。また、図２に示すように、側縁部２２ａにおける、大溝２３よりも第二デッキ面２１ｂ側の部分（第二顎部２４ｂ）は、大溝２３よりも第一デッキ面２１ａ側の部分（第一顎部２４ａ）よりも外側へ僅かに（本実施形態においては２ｍｍ）突出している。従って、デッキ材２は、第二デッキ面２１ｂの方が、第一デッキ面２１ａよりも横幅が大きい（４ｍｍ大きい）ということになる。
【００１５】
第一顎部２４ａにおける第一デッキ面２１ａ側の角部には、面取り２５ａが形成されており、第二顎部２４ｂにおける第二デッキ面２１ｂ側の角部にも、面取り２５ｂが形成されている。また、第一顎部２４ａにおける大溝２３側の角部には、段部２６ａが形成されており、第二顎部２４ｂにおける大溝２３側の角部にも、段部２６ｂが形成されている。
【００１６】
更に、第二顎部２４ｂにおける段部２６ｂと大溝２３との間の位置には、第一顎部２４ａの方へ向かって突出する突状部２７が形成されるとともに、突状部２７と大溝２３との間の位置には、第二デッキ面２１ｂの方へ向かって抉れた小溝２８が形成されている。また、第一顎部２４ａの側面２９ａは、段部２６ａ側よりも第一デッキ面２１ａ側（面取り２５ａ側）の方が僅かに外側へ突出するように傾斜しており、同様に、第二顎部２４ｂの側面２９ｂも、段部２６ｂ側よりも第二デッキ面２１ｂ側（面取り２５ｂ側）の方が僅かに外側へ突出するように傾斜している。尚、本実施形態においては、第一デッキ面２１ａ及び第二デッキ面２１ｂが水平となるようにデッキ材２を保持した場合における、垂直線を基準とする側面２９ａ，２９ｂの傾斜角度は、いずれも４．５°に設定されている。
【００１７】
固定具４は、図３〜図７に示すように、本体基部４１と、側方フラップ４２ａ，４２ｂと、頭部４３（側方フラップ４２ａ，４２ｂよりも上方へ突出している部分）と、脚部４４と、垂直フラップ４５ａ，４５ｂとによって構成されている。側方フラップ４２ａ，４２ｂは、本体基部４１から左右側方へそれぞれ突出するように構成されており、それぞれ主フラップ５１（５１ａ〜５１ｃ）と、主フラップ５１（５１ａ〜５１ｃ）よりも薄肉で可撓性を有する弾性フラップ５２（５２ａ，５２ｂ）とによって構成されている。尚、弾性フラップ５２（５２ａ，５２ｂ）の先端部には、上方へ向かって突出する係止部５３が形成されている。
【００１８】
頭部４３及び本体基部４１の中央には、上面から本体基部４１の底面まで貫通するビス穴５４が形成されている。脚部４４は、本体基部４１の底面の中央（左右方向についての中央）から所定幅で下方へ突出するように構成され、主脚部５５ａ，５５ｂと、主脚部５５ａ，５５ｂよりも薄肉で可撓性を有する弾性脚部５６ａ〜５５ｄとによって構成されている。垂直フラップ４５ａ，４５ｂは、本体基部４１の下半部の左右側方へ所定間隔を置いた位置において、側方フラップ４２ａ，４２ｂの下面からそれぞれ下方へ向かって突出するように構成されている。尚、垂直フラップ４５ａ，４５ｂは、本体基部４１の側部を基端とし、本体基部４１の下半部の左右側方へ所定間隔を置いた位置において先端側が下方へ突出するように構成してもよい。
【００１９】
本実施形態に係るデッキ材ユニットは、以上に説明したようなデッキ材２及び固定具４によって構成されるものであり、隣接するデッキ材２同士の間隔（目地幅）を、必要に応じて大（５ｍｍ）、中（３ｍｍ）、小（１ｍｍ）の三通りに設定することができる。以下、本実施形態に係るデッキ材ユニット（デッキ材２及び固定具４）を用いて、目地幅が異なる三通りのデッキ（デッキ構造体）を施工する方法について説明する。
【００２０】
１．目地幅５ｍｍのデッキの施工方法
まず、図８（１）に示すように、デッキ材２Ａを根太材６の上に、第一デッキ面２１ａが上方となる向きで配置する。次に、固定具４を、デッキ材２Ａの側部に取り付ける。具体的には、脚部４４の下端が根太材６上に接触し、脚部４４の側面がデッキ材２Ａの第二顎部２４ｂの側面２９ｂに接触した状態で、側方フラップ４２ａをデッキ材２Ａの大溝２３内に進入させ、かつ、垂直フラップ４５ａの下端をデッキ材２Ａの小溝２８に係合させて固定具４を取り付ける。
【００２１】
尚、側方フラップ４２ａを大溝２３内に進入させたとき、側方フラップ４２ａのうち、主フラップ５１の下面が、大溝２３の下側の面に当接するように、また、側方フラップ４２ａのうち、弾性フラップ５２は、僅かに下方へ変形した状態で、係止部５３が大溝２３の上側の面に当接するように、固定具４及び大溝２３の形状、寸法が設定されている。また、垂直フラップ４５ａの下端を小溝２８に係合させたとき、垂直フラップ４５ａが僅かに外側（デッキ材２Ａ側）へ変形した状態で小溝２８内に係合するように、固定具４及び小溝２８の形状、寸法が設定されている。
【００２２】
次に、隣接するデッキ材２Ｂを、デッキ材２Ａと同様に、第一デッキ面２１ａが上方となる向きで根太材６上に配置し、デッキ材２Ａの側部に取り付けられた固定具４の反対側の部分に対し、デッキ材２Ｂの側部を同様に接合させる。具体的には、デッキ材２Ｂの第二顎部２４ｂの側面２９ｂを脚部４４の側面に当接させ、デッキ材２Ｂの大溝２３内に側方フラップ４２ｂを進入させ、かつ、垂直フラップ４５ｂの下端をデッキ材２Ｂの小溝２８に係合させる。
【００２３】
この状態で、図８（１）に示すビス７を、固定具４のビス穴５４内に差し込み、図８（２）に示すように、下端が根太材６内にくい込み、ビス頭７１が固定具４内に収まるまでビス７を締め付ける。その結果、デッキ材２Ａ，２Ｂが、固定具４によって根太材６上にしっかりと固定されることになる。
【００２４】
尚、図８（１）に示すように、第二デッキ面２１ｂよりも横幅が小さい第一デッキ面２１ａが上方となる向きでデッキ材２Ａ，２Ｂを配置し、第一顎部２４ａよりも外側へ２ｍｍ突出した第二顎部２４ｂ，２４ｂ同士を対向させて、固定具４の脚部４４を挟持させる形とした場合、対向する第二顎部２４ｂ，２４ｂ同士の間隔は、脚部４４の幅寸法に従って、最小部で１ｍｍ、最大部で１．５ｍｍとなる。
【００２５】
そして、第二顎部２４ｂは、第一顎部２４ａよりも外側へ２ｍｍ突出しているため、上方において対向する第一顎部２４ａ，２４ａ同士の間隔は、最小部で５ｍｍとなり、その結果、デッキ材２Ａ，２Ｂ間の目地幅は５ｍｍとなる。このように、大きい目地幅でデッキを施工する場合には、すべてのデッキ材２を、第一デッキ面２１ａが上方となる向きで配置し、隣接するデッキ材２Ａ，２Ｂの第二顎部２４ｂ，２４ｂ同士の間に脚部４４を挟持させるようにして固定具４を配置し、ビス７の締め付けを行うことにより、デッキ材２Ａ，２Ｂ間の目地幅を５ｍｍとすることができる。
【００２６】
ところで、この種のデッキ材２の固定には、強度的な観点から、最低でも直径３〜４ｍｍ程度のビス７を用いることが望ましいが、上述したように、ビス７が通過する第二顎部２４ｂ，２４ｂ同士の間隔は１〜１．５ｍｍとなるため、図８（１）に示すような状態で、ビス穴５４に直径３〜４ｍｍのビス７を差し込んで締め付けを行うと、デッキ材２Ａ，２Ｂの間隔がビス７によって押し拡げられてしまい、目地幅が不均一になってしまうことが懸念される。
【００２７】
しかしながら本実施形態においては、いずれも第一デッキ面２１ａが上方となる向きでデッキ材２Ａ，２Ｂを配置し、それらの第二顎部２４ｂ，２４ｂの間に脚部４４を挟持させるようにして固定具４を配置した場合、図８（１）に示すように、各デッキ材２Ａ，２Ｂの小溝２８，２８内に、固定具４の垂直フラップ４５ａ，４５ｂの下端が係合するように構成されており、その結果、デッキ材２Ａ，２Ｂにおける側方への移動（左右への逃げ）が規制されることになるため、ビス穴５４にビス７を差し込んで締め付けを行った場合、ビス７は、狭小な第二顎部２４ｂ，２４ｂ間の領域を、ビス７の先端のキリ込み部７２によって、接触する部位を部分的に削りながら（傷つけながら）通過していくことになり（図８（２）参照）、デッキ材２Ａ，２Ｂの間隔、及び、目地幅が拡がって不均一になるという問題を好適に回避することができる。
【００２８】
２．目地幅３ｍｍのデッキの施工方法
大間隔のデッキを施工する場合には、上述の通り、すべてのデッキ材２を、第一デッキ面２１ａが上方となる向きで根太材６上に配置することになるが、中間隔のデッキを施工する場合には、第一デッキ面２１ａが上方となる向きのデッキ材２と、第二デッキ面２１ｂが上方となる向きのデッキ材２とが、交互に隣接するように配置する。
【００２９】
具体的には、図９（１）に示すように、第一デッキ面２１ａが上方となる向きのデッキ材２Ａを先に配置し、これに隣接して、第二デッキ面２１ｂが上方となる向きのデッキ材２Ｂを配置する場合、大間隔のデッキを施工する場合と同様の要領で、固定具４を、先に配置したデッキ材２Ａの側部に取り付ける。具体的には、脚部４４の下端が根太材６上に接触し、脚部４４の側面がデッキ材２Ａの第二顎部２４ｂの側面２９ｂに接触した状態で、側方フラップ４２ａをデッキ材２Ａの大溝２３内に進入させ、かつ、垂直フラップ４５ａの下端をデッキ材２Ａの小溝２８に係合させて固定具４を取り付ける。
【００３０】
次に、図９（１）に示すビス７を、固定具４のビス穴５４内に差し込み、下端が根太材６内にくい込み、ビス頭７１が固定具４内に収まるまでビス７を締め付けて、デッキ材２Ａ及び固定具４を根太材６に対して固定する。そして、隣接するデッキ材２Ｂを、デッキ材２Ａとは反対に、第二デッキ面２１ｂが上方となる向きで根太材６上に配置し、図９（１）に示す位置から、固定具４の方向へスライドさせる。
【００３１】
そうすると、図９（２）に示すように、デッキ材２Ａの側部に取り付けられた固定具４の反対側の部分に対し、デッキ材２Ｂの側部が接合した状態となる。具体的には、デッキ材２Ｂの第一顎部２４ａの側面２９ａがビス７に当接し、垂直フラップ４５ｂがデッキ材２Ｂの段部２６ａの奥側に当接し、側方フラップ４２ｂがデッキ材２Ｂの大溝２３内に進入する。尚このとき、側方フラップ４２ｂの主フラップ５１の下面は、大溝２３の下側の面に当接し、弾性フラップ５２は、僅かに下方へ変形した状態で、係止部５３が大溝２３の上側の面に当接する。その結果、デッキ材２Ｂも、デッキ材２Ａと同様に、固定具４によって根太材６上に固定されることになり、この場合の目地幅は３ｍｍとなる。
【００３２】
尚、第一デッキ面２１ａが上方となる向きで配置したデッキ材２Ａに対して固定具４を取り付けた状態（固定具４の脚部４４の側面がデッキ材２Ａの第二顎部２４ｂの側面２９ｂに接触した状態で、側方フラップ４２ａをデッキ材２Ａの大溝２３内に進入させ、かつ、垂直フラップ４５ａの下端をデッキ材２Ａの小溝２８に係合させた状態）において、ビス穴５４にビス７を差し込んで締め付けを行うと、ビス７の先端が、第二顎部２４ｂの側面２９ｂにぶつかることになるため、固定具４が側方へずれてしまい、目地幅が拡がってしまうことが懸念されるが、垂直フラップ４５ａの下端がデッキ材２Ａの小溝２８に係合しているため、固定具４の側方への移動が規制されることになり、ビス７は、先端のキリ込み部７２によって、第二顎部２４ｂの側面２９ｂを部分的に削りながら（傷つけながら）通過していくことになり（図９（２）参照）、その結果、固定具４が側方へずれて、目地幅が拡がってしまうという問題を好適に回避することができる。
【００３３】
一方、図９の場合とは反対に、第二デッキ面２１ｂが上方となる向きのデッキ材２Ａを先に配置し、これに隣接して、第一デッキ面２１ａが上方となる向きのデッキ材２Ｂを配置する場合、図１０（１）に示すように、固定具４を、脚部４４の側面がデッキ材２Ａの第一顎部２４ａの側面２９ａから僅かな間隔を置いた位置において脚部４４の下端が根太材６上に接触し、側方フラップ４２ａがデッキ材２Ａの大溝２３内に進入し、かつ、反対側の側方フラップ４２ｂが下がる方向へ僅かに（約３°）傾けた状態とし、この状態でビス穴５４内にビス７を差し込み、締め付けを行って、デッキ材２Ａ及び固定具４を根太材６に対して固定する。
【００３４】
尚このとき、根太材６上に接地する固定具４の脚部４４の下端（弾性脚部５６ａ〜５６ｄ、図５参照）が二股になっていること、及び、固定具４の頭部４３の上面がデッキ材２Ａの突状部２７に当接していることから、ビス７の締め付けを行う際に、ビス７及び固定具４において「ぶれ」が生じることを回避でき、適正な方向にビス７を打ち込むことができる。
【００３５】
そして、隣接するデッキ材２Ｂを、デッキ材２Ａとは反対に、第一デッキ面２１ａが上方となる向きで根太材６上に配置し、図１０（１）に示す位置から、固定具４の方向へスライドさせる。
【００３６】
そうすると、図１０（２）に示すように、デッキ材２Ａの側部に取り付けられた固定具４の反対側の部分に対し、デッキ材２Ｂの側部が接合した状態となる。具体的には、デッキ材２Ｂの第二顎部２４ｂの側面２９ｂがビス７に当接し、垂直フラップ４５ｂの下端がデッキ材２Ｂの小溝２８内に係合し、側方フラップ４２ｂがデッキ材２Ｂの大溝２３内に進入する。尚このとき、側方フラップ４２ｂの主フラップ５１の下面は、大溝２３の下側の面に当接し、弾性フラップ５２は、僅かに下方へ変形した状態で、係止部５３が大溝２３の上側の面に当接する。その結果、デッキ材２Ｂも、デッキ材２Ａと同様に、固定具４によって根太材６上に固定されることになり、この場合も目地幅は３ｍｍとなる。
【００３７】
３．目地幅１ｍｍのデッキの施工方法
小間隔のデッキを施工する場合には、すべてのデッキ材２を、第二デッキ面２１ｂが上方となる向きで根太材６上に配置する。具体的には、図１１（１）に示すように、第二デッキ面２１ｂが上方となる向きでデッキ材２Ａを配置し、固定具４を、脚部４４の側面がデッキ材２Ａの第一顎部２４ａの側面２９ａから僅かな間隔を置いた位置において脚部４４の下端が根太材６上に接触し、側方フラップ４２ａがデッキ材２Ａの大溝２３内に進入し、かつ、反対側の側方フラップ４２ｂが下がる方向へ僅かに（約３°）傾けた状態とし、この状態でビス穴５４内にビス７を差し込み、締め付けを行って、デッキ材２Ａ及び固定具４を根太材６に対して固定する。
【００３８】
尚このとき、根太材６上に接地する固定具４の脚部４４の下端（弾性脚部５６ａ〜５６ｄ、図５参照）が二股になっていること、及び、固定具４の頭部４３の上面がデッキ材２Ａの突状部２７に当接していることから、ビス７の締め付けを行う際に、ビス７及び固定具４において「ぶれ」が生じることを回避でき、適正な方向にビス７を打ち込むことができる。
【００３９】
そして、隣接するデッキ材２Ｂを、デッキ材２Ａと同様に、第二デッキ面２１ｂが上方となる向きで根太材６上に配置し、図１１（１）に示す位置から、固定具４の方向へスライドさせる。
【００４０】
そうすると、図１１（２）に示すように、デッキ材２Ａの側部に取り付けられた固定具４の反対側の部分に対し、デッキ材２Ｂの側部が接合した状態となる。具体的には、デッキ材２Ｂの第一顎部２４ａの側面２９ａがビス７に当接し、垂直フラップ４５ｂがデッキ材２Ｂの段部２６ａの奥側に当接し、側方フラップ４２ｂがデッキ材２Ｂの大溝２３内に進入する。尚このとき、側方フラップ４２ｂの主フラップ５１の下面は、大溝２３の下側の面に当接し、弾性フラップ５２は、僅かに下方へ変形した状態で、係止部５３が大溝２３の上側の面に当接する。その結果、デッキ材２Ｂも、デッキ材２Ａと同様に、固定具４によって根太材６上に固定されることになり、この場合の目地幅は１ｍｍとなる。
【符号の説明】
【００４１】
２，２Ａ，２Ｂ：デッキ材、
４：固定具、
６：根太材、
７：ビス、
２１ａ：第一デッキ面、
２１ｂ：第二デッキ面、
２２ａ，２２ｂ：側縁部、
２３：大溝、
２４ａ：第一顎部、
２４ｂ：第二顎部、
２５ａ，２５ｂ：面取り、
２６ａ，２６ｂ：段部、
２７：突状部、
２８：小溝、
２９ａ，２９ｂ：側面、
４１：本体基部、
４２ａ，４２ｂ：側方フラップ、
４３：頭部、
４４：脚部、
４５ａ，４５ｂ：垂直フラップ、
５１，５１ａ〜５１ｃ：主フラップ、
５２，５２ａ，５２ｂ：弾性フラップ、
５３：係止部、
５４：ビス穴、
５５ａ，５５ｂ：主脚部、
５６ａ〜５６ｄ：弾性脚部、
７１：ビス頭、
７２：キリ込み部
【図１】
2015140591.tif 000003
【図２】
2015140591.tif 000004
【図３】
2015140591.tif 000005
【図４】
2015140591.tif 000006
【図５】
2015140591.tif 000007
【図６】
2015140591.tif 000008
【図７】
2015140591.tif 000009
【図８】
2015140591.tif 000010
【図９】
2015140591.tif 000011
【図１０】
2015140591.tif 000012
【図１１】
2015140591.tif 000013